(57)【要約】      （修正有）【課題】様々な様態で手軽に装着できると同時に、ずれ落ちを防ぐことができるという利点があり、雨具兼用とする雨具兼用膝掛けを提供する。【解決手段】ａ）防水機能と保温機能を備え、装着状態において上端に沿う上辺１００１、装着状態において下端に沿うの底辺１００２、装着者の右端に沿う右辺１００４そして装着者の左端に沿う左辺１００３を有する布１０００と、ｂ）装着者の腰回りを外側から囲う経路であって、背中側に相当する部位において開放端を有するＣ字型経路に形成された復元性素材から構成されたずれ落ち防止部材と、を構成要素に含む雨具兼用膝掛けとする。【選択図】図１
0003221458.tif 000002
【実用新案登録請求の範囲】
【請求項１】
雨具兼用の膝掛けであって、
ａ）防水機能と保温機能を備え、装着状態において上端に沿う上辺、装着状態において下端に沿うの底辺、装着者の右端に沿う右辺そして装着者の左端に沿う左辺を有する布と、
ｂ）該装着者の腰回りを外側から囲う経路であって、背中側に相当する部位において開放端を有するC字型経路に形成された復元性素材から構成されたずれ落ち防止部材と、
を構成要素に含み、
前記上辺と前記C字型経路とは長さが略同一であって、前記上辺の両端と前記開放端とが重なるように前記上辺に沿って前記ずれ落ち防止部材が取り付けられ、
前記復元性素材は、外力の負荷がない初期状態における経路は前記装着者の腰回りに沿う経路よりも狭く形成されており、予め設定した外力により前記開放端の間を予め対象とする車椅子又は肘掛け椅子の左右肘掛け外側を挟む間隔より長い開放端間隔まで変形自在な弾性を備えることを特徴とする雨具兼用膝掛け。
【請求項２】
前記復元性素材を形成する材料には、ピアノ線、ばね鋼、硬鋼、汎用エンジニアプラスティックスから選ばれる少なくとも１つの弾性素材が含まれていることを特徴とする請求項１に記載の雨具兼用膝掛け。
【請求項３】
前記布は防水素材から形成されることを特徴とする請求項１又は２に記載の雨具兼用膝掛け。
【請求項４】
前記布は防水加工されることを特徴とする請求項１又は２に記載の雨具兼用膝掛け。
【考案の詳細な説明】
【技術分野】
【０００１】
本考案は、膝掛け、特にずれ落ち防止する機能を備えた雨具兼用膝掛けに関するものである。
【背景技術】
【０００２】
従来、膝掛けは、防寒や防風の機能を備えた布をユーザが自らの膝にかけるだけで装着させるものであった。手軽に装着できる一方で、容易にずれ落ち、防寒や防風の用を満たさなくなる問題があった。又、雨具兼用の膝掛けという商品は、存在していなかった。
【０００３】
特に、車椅子を必要とする要介護者にとって、下半身にズボンタイプの雨具を装着することが困難であり、車椅子に座った状態で簡単に着用できる雨具が望まれていた。
防水シートを雨具として膝掛け式に利用されていたが、ズボンタイプの雨具に比べ、着用が簡単な一方で通常の膝掛けと同様にずれ落ちる問題があった。さらに、車椅子の肘掛けに膝掛けを被せて利用するといった利用態様などいろいろなパターン利用形態においてもずれ落ちが問題となっていた。
【０００４】
特許文献１には、ずれ落ち防止のための部材を備えた膝掛けの考案が開示されている。この考案によると、ずれ落ちを防止するための形状記憶材を着脱する開口部と装着時の脱落を防止する蓋部を有する形状記憶材装着用袋帯を特徴とする膝掛けである。
【０００５】
しかしながら、この考案の開示において、ずれ落ち防止のための部材は、装着した状態で大腿部又は腰部を挟み込んで使用するものにすぎず、いろいろなパターンの利用形態に対応するものではなかった。
【０００６】
また、雨具兼用としての利用についての機能を備えた考案ではなかった。
【先行技術文献】
【特許文献】
【０００７】
【特許文献１】実用新案登録第３１５５６１６号公報
【考案の概要】
【考案が解決しようとする課題】
【０００８】
解決しようとする課題は様々なパターンの利用態様で装着できると同時に、ずれ落ちを防ぐことができる、雨具兼用膝掛けを提供することである。
【課題を解決するための手段】
【０００９】
本考案によれば、雨具兼用の膝掛けであって、
ａ）防水機能と保温機能を備え、装着状態において上端に沿う上辺、装着状態において下端に沿うの底辺、装着者の右端に沿う右辺そして装着者の左端に沿う左辺を有する布と、
ｂ）該装着者の腰回りを外側から囲う経路であって、背中側に相当する部位において開放端を有するC字型経路に形成された復元性素材から構成されたずれ落ち防止部材と、
を構成要素に含み、
前記上辺と前記C字型経路とは長さが略同一であって、前記上辺の両端と前記開放端とが重なるように前記上辺に沿って前記ずれ落ち防止部材が取り付けられ、
前記復元性素材は、外力の負荷がない初期状態における経路は前記装着者の腰回りに沿う経路よりも狭く形成されており、予め設定した外力により前記開放端の間を予め対象とする車椅子又は肘掛け椅子の左右肘掛け外側を挟む間隔より長い開放端間隔まで変形自在な弾性を備えることを特徴とする雨具兼用膝掛けが提供される。
【００１０】
前記復元性素材を形成する材料には、ピアノ線、ばね鋼、硬鋼、汎用エンジニアプラスティックスから選ばれる少なくとも１つの弾性素材が含まれているとしてもよい。
【００１１】
前記布は防水素材から形成されるとしてもよい。あるいは、前記布は防水加工されるとしてもよい。
【考案の効果】
【００１２】
本考案の膝掛けは、ずれ落ちを防ぐことができる様と同時に、雨具ズボンなど様々な態様の着用パターンで手軽に装着できるという利点がある。
【図面の簡単な説明】
【００１３】
【図１】図１は、本実施例の雨具兼用膝掛けの本体となる布の外観を示す斜視図である。
【図２】図２は、布本体をＡ−Ａ‘線で切った断面図である。
【図３】図３は、ずれ落ち防止部材本体とその芯材の外観を示した図である。
【図４】図４は、椅子に座っているユーザが本実施例を装着する通常使用時の態様を示した斜視図である。
【図５】図５は、車椅子のユーザが本実施例の雨具兼用膝掛けを装着する車椅子着席時使用の様子を示した斜視図である。。
【図６】図６は、車椅子ユーザの使用のために装着する様子を示した背面からの通し図である。
【考案を実施するための形態】
【００１４】
手軽に装着できると同時に、ずれ落ちを防ぐことができるという利点がある雨具兼用膝掛けを実施例により説明していく。
【実施例１】
【００１５】
（本体となる布の構成）
図１は、本実施例の雨具兼用膝掛けの本体となる布の外観を示す斜視図である。本図は、この雨具兼用膝掛けを装着したときに腹側となる布面を背後上方からの見たものである。
雨具兼用膝掛けの本体となる布１０００は、装着状態において上端に沿う上辺１００１、装着状態において下端に沿うの底辺１００２、装着者の左側に沿う左辺１００３、装着者の右側に沿う右辺１００４から構成される。
左辺と右辺とで挟まれる外側間隔は、開放１００５となっている。
点線で示した部位１００６には、外観からは隠された通し孔が設けられており、通し孔には後で説明するずれ落ち防止部材が収納されている。
ここで布本体の表面に、防寒性のある合成樹脂又は軟質ゴム系のシートを張り合わせることにより、防水性と防寒性を向上させる防水加工をするものとする。
【００１６】
（断面図で見たずれ落ち防止部材収納の態様）
図２は、布本体１０００をＡ−Ａ‘線で切った断面図である。
上辺１００１に沿って通し孔２００１が設けられている。この通し孔の内部にずれ落ち防止部材２００２が、収納されている。
ここで通し孔２００１は、上辺に沿って装着状態で左端を構成する左辺から同様に右端を構成する右辺まで設けられており、ずれ落ち防止部材もこれに収まる長さに設定されている。
【００１７】
（ずれ落ち防止部材）
図３は、ずれ落ち防止部材本体とその芯材の外観を示した図である。
３００１は、上記通し孔から取り出したずれ落ち防止部材の本体の外観を示している。ここでずれ落ち防止部材本体は、心材３００３と心材表面と通し孔や装着者の体との直接接触を避けるための保護部材３００４とから構成されている。
３００２は、復元性素材であるピアノ線の芯材の外観を示している。芯材は、初期状態において、C字型経路を保つように成形されており、装着者等が外力を加えることによりC字の開放部３００３を後で説明する車椅子の左右肘掛け外側を挟む間隔より長い開放端間隔まで広げることが出来る。ここでは、６０ｃｍの広さである。この広さまでC字の開放部を広げても復元性を損なわない設計の芯材を採用し、成形する。初期状態におけるＣ字型経路は、装着者として想定するユーザの着衣状態の腰回り外周よりも内側を通る経路に設定されている。そのため、装着した状態においてＣ字型経路が広げられた状態となり、ピアノ線の復元力によって装着者の腰回りに対してテンションが掛かり、ユーザ腰回りを締め付ける。
ずれ落ち防止部材の長さは、ここでは８０ｃｍ以上１００ｃｍ以内の長さを採用し、本考案に採用するずれ落ち防止部材の長さは装着想定者のサイズに応じて適宜変更されうる。
また、外力によってC字の開放部が復元性を損なわないで広げることが出来る広さは、対象とするユーザが使用する車椅子の左右肘掛けの間隔に応じて適宜変更されうる。
【００１８】
（ずれ落ち防止部材を構成する芯材の種類）
ここでずれ落ち防止部材の芯材の材料として、予め装着対象者として設定したユーザの胴体断面を囲う形状に成形したピアノ線を採用する。
ここでは、上記ずれ落ち防止部材を構成する芯材の材料として、ピアノ線を採用したが、本発明のずれ落ち防止部材を構成する芯材の材料は、ピアノ線に限られるものではない。上記ずれ落ち防止部材を構成する芯材の材料として、ピアノ線、ばね鋼、硬鋼、汎用エンジニアプラスティックスを採用してもよい。
【００１９】
（通常使用時の態様）
図４は、椅子に座っているユーザが本実施例を装着する通常使用時の態様を示した斜視図である。
椅子４００１に着座したユーザ４００２が、本実施例の雨具兼用膝掛け４００３を装着している。
ユーザの腰回りを背中側から膝側を雨具兼用膝掛けの上辺４００４が巻き込むように囲い装着する。このとき点線４００５で示したずれ落ち防止部材が、装着者であるユーザの腰回りに対して復元力により締め付けるので、ずれ落ち防止効果がある。
さらに、この着座姿勢からユーザが立ち上がっても、ずれ落ち防止部材がベルトの役割を果たすので、下半身を覆う雨具ズボンという着用パターンでも利用できる効果がある。
【００２０】
図５は、車椅子のユーザが本実施例の雨具兼用膝掛けを装着する車椅子着席時使用の様子を示した斜視図である。
車椅子５００１に座ったユーザ５００２が、雨具兼用膝掛け５００３を装着している。
ここで、点線で示すずれ落ち防止部材５００４は、ユーザの腰回りではなく車椅子の肘掛け５００５に引っ掛けられている。
車椅子のユーザの場合、このようなパターンの使用態様でも利用できるので、特に下半身の力が弱い要介護者に対して起き上がるなど下半身に負担を掛ける動きをしないで装着できるので便利である。
【００２１】
図６は、車椅子ユーザの使用のために装着する様子を示した背面からの通し図である。
６００１は図５に示す装着状態の態様であり、６００２は装着のためにずれ落ち防止部材の端部に外力を加え、両端を広げた態様を示した図である。
ここで説明の便宜のため、６００１の態様では、車椅子の部位にうち左肘掛け６００３、右肘掛け６００４、左車輪６００５そして右車輪６００６のみを記載し、他の部位は省略したる。また、６００２の態様では、車椅子の部位にうち左肘掛け６００３と右肘掛け６００４のみを記載し、他の部位は省略している。
６００１に示す態様で雨具兼用膝掛けがずれ落ちないのは、矢印６０１０と６０１１に示す内向き方向にずれ落ち防止部材のテンションが掛かっているからである。
６００２に示す態様において、雨具兼用膝掛け６００７は、その上辺の左端６００８と右端６００９の間隔が装着のために広げられている。点線で示した車椅子の左右肘掛け外側を挟む間隔を示した両方向矢印６０１２の間隔よりも広く広げられている。ここでずれ落ち防止部材の芯材は、少なくともこの間隔まで広げられても、その復元性を失わない設計のピアノ線である。
【００２２】
ずれ落ち防止部材の変形開放可能な幅を少なくとも車椅子の両肘掛けの左右外間隔まで広げられると様々なパターンの利用態様を許す効果があって、様々な事情のユーザにあった利用パターンを提供できる。
【産業上の利用可能性】
【００２３】
一般的な衣服産業から介護用品産業まで保温や防水に係る商品の産業において利用される。
【符号の説明】
【００２４】
１０００    ひざ掛けの布本体
１００１    上辺
１００２    底辺
１００３    左辺
１００４    右辺
２００１    通し孔
２００２    ずれ落ち防止部材
【図１】
0003221458.tif 000003
【図２】
0003221458.tif 000004
【図３】
0003221458.tif 000005
【図４】
0003221458.tif 000006
【図５】
0003221458.tif 000007
【図６】
0003221458.tif 000008